(57)【要約】【課題】操作性のよい操作スイッチを有する電動工具を提供することをその課題とする。【解決手段】当接部５３ａから軸Ｏまでの距離Ｌ１に対し、軸Ｏからピン５２ａとＵ字溝５３ｂとの係合部分までの距離Ｌ２が長く形成されている。よってスイッチオンへの操作において、てこの原理により、連係部６１を前方へスライド移動させる力に対してスイッチレバー５１を後方へスライド移動させる力を軽くすることができ、操作性がよい。内蔵スイッチ６０の図示しないコイルバネの付勢力は比較的強いものが多いので、スイッチオン操作の操作性がよくなるのである。【選択図】  図４
2014124728.tif 000002
【特許請求の範囲】
【請求項１】
モータを内蔵する電動工具本体と、該本体内に設けられた内蔵スイッチと、該内蔵スイッチに連係されて該内蔵スイッチをオンオフ操作する中間部材と、該本体表面に設けられ、該中間部材に連係された操作用のスイッチレバーとを有する電動工具において、
該スイッチレバーの操作力に対応する該内蔵スイッチの操作力を変化させる操作力可変機構が該中間部材に設けられたことを特徴とする電動工具。
【請求項２】
該操作力可変機構はリンク機構として構成されていることを特徴とする請求項１に記載の電動工具。
【請求項３】
該スイッチレバーに連係され、該スイッチレバーと同方向にスライド移動するスイッチロッドと、一方が該スイッチロッドに連係され、他方が該内蔵スイッチに連係されて該本体に軸支されており、該スイッチロッドのスライド移動により回動するスイッチリンクとで該中間部材を構成することを特徴とする請求項１又は２に記載の電動工具。
【請求項４】
該内蔵スイッチは該モータに隣接して設けられており、該内蔵スイッチの該モータとは反対側には該中間部材と連係する連係部が設けられており、該内蔵スイッチのモータ側には該モータと該内蔵スイッチを接続するリード線が設けられていることを特徴とする請求項１〜３記載の電動工具。
【発明の詳細な説明】
【技術分野】
【０００１】
本発明は、例えば電気グラインダ等の電動工具の操作スイッチに関するものである。
【背景技術】
【０００２】
電気グラインダ等の電動工具は、作業の際に把持される電動工具本体の把持部付近に操作スイッチの操作部分が設けられているものがある。これは、作業しながらオン、オフ操作を容易に行えるようにするためである。具体的には操作部分であるスイッチレバーをスライド操作することにより、これに接続されたスイッチロッドをスライドさせ、内蔵スイッチをオンオフ操作する。例えば、下記特許文献１には、このような操作スイッチを有する電動工具の開示がある。
【先行技術文献】
【特許文献】
【０００３】
【特許文献１】特開２００２−２７００６６号公報
【発明の概要】
【発明が解決しようとする課題】
【０００４】
しかしながら、特許文献１の構成では、スイッチレバーの操作移動量とスイッチロッドの移動量が同一であるため、次のような問題があった。すなわち、内蔵スイッチをオンオフさせるのに強い力が必要とされる場合、スイッチレバーをスライドさせにくく、操作性が悪い。また、内蔵スイッチをオンオフさせるストローク量が長い場合、スイッチレバーを大きくスライドさせねばならず、操作性が悪い。よって改善の余地があった。
【０００５】
本発明は、上述の問題を解決するためになされたもので、その目的は、操作性のよい操作スイッチを有する電動工具を提供することである。
【課題を解決するための手段】
【０００６】
本発明は上記目的を達成するため、モータを内蔵する電動工具本体と、該本体内に設けられた内蔵スイッチと、該内蔵スイッチに連係されて該内蔵スイッチをオンオフ操作する中間部材と、該本体表面に設けられ、該中間部材に連係された操作用のスイッチレバーとを有する電動工具において、該スイッチレバーの操作力に対応する該内蔵スイッチの操作力を変化させる操作力可変機構が該中間部材に設けられたことを特徴とする。
【０００７】
また、本発明は、該操作力可変機構はリンク機構として構成されていることを特徴とする。
【０００８】
また、本発明は、該スイッチレバーに連係され、該スイッチレバーと同方向にスライド移動するスイッチロッドと、一方が該スイッチロッドに連係され、他方が該内蔵スイッチに連係されて該本体に軸支されており、該スイッチロッドのスライド移動により回動するスイッチリンクとで該中間部材を構成することを特徴とする。
【０００９】
また、本発明は、該内蔵スイッチは該モータに隣接して設けられており、該内蔵スイッチの該モータとは反対側には該中間部材と連係する連係部が設けられており、該内蔵スイッチのモータ側には該モータと該内蔵スイッチを接続するリード線が設けられていることを特徴とする。
【発明の効果】
【００１０】
本発明の電動工具においては、スイッチ操作の操作性が向上し、作業性のよい電動工具を得ることが可能となる。
【００１１】
また、リンク機構という簡単な機構によりスイッチを構成することができ、軽量化と耐久性の向上を図ることができる。
【００１２】
また、スライド移動と回動により、スイッチレバーの操作方向と連係部の移動方向が逆方向となり、スライド方向でのコンパクト化を図ることができる。
【００１３】
また、リード線を短くすることができ、配線作業がしやすく、耐久性の向上を図った電動工具を得ることが可能となる。
【図面の簡単な説明】
【００１４】
【図１】本実施形態に係る電動工具のスイッチオフの状態を示す側面図である。
【図２】図１のＢ−Ｂ線断面図である。
【図３】本実施形態に係る電動工具のスイッチオンの状態を示す側面図である。
【図４】図３のＢ−Ｂ線断面図である。
【図５】スイッチロッドを示す平面図及び側面図である。
【発明を実施するための形態】
【００１５】
以下、本発明を実施するための好適な実施形態について、図１〜図５を用いて説明する。なお、以下の実施形態では、本発明を手持ち式電動グラインダに適用する場合を例示して説明する。また、以下の実施形態は、各請求項に係る発明を限定するものではなく、また、実施形態の中で説明されている特徴の組み合わせの全てが発明の解決手段に必須であるとは限らない。
【００１６】
図１、２は本実施形態に係る電動工具のスイッチオフの状態を示し、図３、４はスイッチオンの状態を示す。
【００１７】
図１〜図４に示されるように、本実施形態に係る電動工具である手持ち式電動グラインダは、作業者が把持することができるように略円筒状に形成されたハウジング１１と、研削作業を行うための回転工具である円盤状の砥石２１とを備えている。
【００１８】
ハウジング１１は、駆動源となるモータ３０を内部に収納するケーシングとしてのモータケース１２と、モータ３０からの回転駆動力を受けてこの回転駆動力を砥石２１に伝達するための複数の歯車群等からなる駆動力伝達手段を収納するギアケース１３と、モータ３０に対して電力を供給するための電力コードやスイッチボックス等の給電機器が収納されたカバー部材としてのテールカバー１４とを主要な構成部材として形成されている。本実施形態においては、ハウジング１１が本発明の電動工具本体に該当する。なお、本実施形態においては、砥石２１側を前方、テールカバー１４側を後方とする。
【００１９】
モータケース１２は、樹脂又はアルミニウム合金などの金属製の部材によって構成される。モータケース１２の外郭形状は、操作者が把持し易いように略円筒状に形成されており、拡径してギアケース１３へ接続するが、その拡径する付け根部分が作業者の把持しやすい部分である。
【００２０】
モータケース１２の前方側にインナーケース１６を介在させて連結されるギアケース１３は、例えばアルミニウム合金などの金属製の部材により構成されている。そして、このギアケース１３の下部には、研削作業を行うこととなる回転工具としての砥石２１が配置されており、砥石２１の背面側（後側）には、操作者に対して切粉などが飛散しないようにするために、安全カバー２２が設置されている。
【００２１】
テールカバー１４は樹脂によって構成されており、複数のスリットが設けられ、後述する内蔵スイッチ６０やスイッチロッド５２の後端部などが収納されている。
【００２２】
手持ち式電動グラインダの内部構造を描いた図２、４にて示されるように、モータケース１２の内部には砥石２１を駆動するための駆動源となるモータ３０が収納されている。モータ３０のモータ軸３２は、その前端部がモータケース１２内からギアケース１３内へと突出し、インナーケース１６とギアケース１３に装着された前部ベアリング１７に支持されている。一方、モータ軸３２の後端部は、モータケース１２の後部において後部ベアリング１８に支持されている。したがって、モータ軸３２は、前後部のベアリング１７，１８により両端部を支持されることで、高速回転できるように構成されている。
【００２３】
ギアケース１３内には、モータ軸３２の前端部に固定される小傘歯車２３や図示しない大傘歯車、駆動軸等が収納されており、直交配置されたモータ軸３２と駆動軸との間での回転駆動力の伝達が実現されている。したがって、モータ３０が回転すると、この回転駆動力がモータ軸３２から小傘歯車２３等へと伝達され、最終的に駆動軸を介して砥石２１が回転することになるので、被加工対象物に対する研削加工が実行可能となる。
【００２４】
また、テールカバー１４には、内蔵スイッチ６０が収納されており、この内蔵スイッチ６０のモータ３０とは反対側には連係部６１が設けられている。また、内蔵スイッチ６０のモータ３０側には端子６３及びリード線６２が接続されている。リード線６２は整流子３１とモータケース１２の直径方向で対向して設けられる、図示しないカーボンブラシと接続されている。連係部６１は、後述するスイッチリンク５３により、内臓スイッチ６０内に対して図２中前後方向に摺動、すなわちスライド移動可能であり、前方にスライド移動することで通電してモータ３０が駆動し、後方にスライド移動することで通電停止して駆動が停止する。連係部６１は図示しないコイルバネにより常時後方に突出するように付勢されている。
【００２５】
このような配置とすることにより、内蔵スイッチ６０とモータ３０とを接続するリード線６２を短くすることができ、コンパクト化や組立作業の容易化を図ることができる。
【００２６】
テールカバー１４には、連係部６１に連係してスイッチリンク５３が軸Ｏを中心に回動可能に設けられている。スイッチリンク５３の一端は当接部５３ａとして形成され、連係部６１に当接してこれを前方にスライド移動させる。スイッチリンク５３の他端にはＵ字溝５３ｂが形成されている。
【００２７】
スイッチリンク５３にはスイッチロッド５２が連係している。図５にスイッチロッド５２の詳細を示しており、（ａ）は平面図で（ｂ）が側面図である。スイッチロッド５２は略直線状の細長い平板形状をしており、前後方向にスライド移動するよう構成されている。スイッチロッド５２の一端にはピン５２ａが設けられており、このピン５２ａがスイッチリンク５３のＵ字溝５３ｂに係合している。また、スイッチロッド５２の他端には開口５２ｂが設けられている。なお、本発明における中間部材とは本実施例においてはスイッチロッド５２とスイッチリンク５３のことである。
【００２８】
スイッチロッド５２にはスイッチレバー５１が連係している。スイッチレバー５１はハウジング１１のモータケース１２表面に前後方向にスライド移動可能に設けられている。スイッチレバー５１には係合片５１ａが設けられており、係合片５１ａは前述のスイッチロッド５２の開口５２ｂに係合し、かつ、モータケース１２の溝１２ａ内をスライド移動するよう構成されている。また、スイッチレバー５１にはロック片５１ｂも設けられており、スイッチレバー５１のスイッチオン状態でモータケース１２のロック溝１２ｂに係合し、スイッチオンの状態が継続する、所謂ロックオン状態が可能に構成されている。また、スイッチレバー５１の表面にはセレーション５１ｃも形成されており、スイッチのオンオフ操作がしやすいようになっている。
【００２９】
よってスイッチレバー５１がスライド移動することにより、スイッチロッド５２がスライド移動し、スイッチリンク５３が回動し、内蔵スイッチ６０の連係部６１がスライド移動するというリンク機構が構成されている。
【００３０】
次に本発明のスイッチ操作と作用について説明する。まず、図１、２に示すスイッチオフの状態から、操作者はスイッチレバー５１を後方にスライド移動させる。すると図４に示すように、スイッチロッド５２も同様に後方へスライド移動する。するとピン５２ａとＵ字溝５３ｂで係合しているスイッチリンク５３が軸Ｏを中心に時計方向に回動する。そして当接部５３ａが連係部６１に当接して連係部６１を図示しないコイルバネの付勢力に抗して前方へスライド移動させる。こうすることにより、スイッチオンの状態となる。
【００３１】
この状態からスイッチオフの状態にするには、セレーション５１ｃ付近を押してロック片５１ｂとロック溝１２ｂとの係合を解除し、スイッチレバー５１を前方にスライドさせることにより、スイッチロッド５２も同様に前方にスライド移動させ、スイッチリンク５３を軸Ｏを中心に反時計方向に回動させ、図示しないコイルバネの付勢力により連係部６１を図２のように後方へ突出させるのである。
【００３２】
ここで図４に示すように、当接部５３ａから軸Ｏまでの距離Ｌ１に対し、軸Ｏからピン５２ａとＵ字溝５３ｂとの係合部分までの距離Ｌ２が長く形成されている。よってスイッチオンへの操作において、てこの原理により、連係部６１を前方へスライド移動させる力に対してスイッチレバー５１を後方へスライド移動させる力を軽くすることができ、操作性がよい。内蔵スイッチ６０の図示しないコイルバネの付勢力は比較的強いものが多いので、スイッチオン操作の操作性がよくなるのである。本実施例においては、この距離Ｌ１と距離Ｌ２が異なることにより、本発明における操作力可変機構を構成している。
【００３３】
また、スイッチレバー５１及びスイッチロッド５２のスライド移動を、スイッチリンク５３の回動に変換していることにより、スイッチレバー５１及びスイッチロッド５２のスライド移動方向と連係部６１のスライド移動方向を反対方向にしている。よって、スイッチレバーの操作方向と連係部の移動方向が逆方向となり、長手方向（軸方向）でのコンパクト化を図った電動工具を得ることができる。さらにスライド移動と回動という簡単な機構によりスイッチを構成しており、軽量化と耐久性の向上を図っている。
【００３４】
以上、本発明の好適な実施形態について説明したが、本発明の技術的範囲は上記実施形態の技術的範囲に限定されない。前述の距離Ｌ１は距離Ｌ２よりも短く構成されていたが、これを逆転させて距離Ｌ１を距離Ｌ２よりも長くしてもよい。このように構成すると、例えば、連係部６１のスライド移動距離が長く、図示しないコイルバネの付勢力が軽い場合に、操作者がスイッチレバー５１を大きく移動させなくてもスイッチのオンオフ作業ができるので、操作性の向上を図ることができる。この場合は、移動量可変機構であるといえる。
【００３５】
また、上記実施形態には、多様な変更又は改良を加えることが可能である。例えば、上記実施形態では、スイッチロッド５２はスイッチレバー５１と同様にスライド移動し、スイッチリンク５３が回動する構成であったが、スイッチロッド５２をスイッチレバー５１のスライド移動に連係して回動させ、この回動に連係してスイッチリンク５３がスライド移動する構成としてもよい。
【産業上の利用可能性】
【００３６】
本発明に係る電動工具は、操作スイッチを有する電動工具において極めて有用である。
【符号の説明】
【００３７】
１１  ハウジング、１２  モータケース、１２ａ  溝、１２ｂ  ロック溝、１３  ギアケース、１４  テールカバー、３０  モータ、３２  モータ軸、５１  スイッチレバー、５１ａ  係合片、５１ｂ  ロック片、５１ｃ  セレーション、５２  スイッチロッド、５２ａ  ピン、５２ｂ  開口、５３  スイッチリンク、５３ａ  当接部、５３ｂ  Ｕ字溝、６０  内蔵スイッチ、６１  連係部、６２  リード線、６３  端子、Ｏ  軸
【図１】
2014124728.tif 000003
【図２】
2014124728.tif 000004
【図３】
2014124728.tif 000005
【図４】
2014124728.tif 000006
【図５】
2014124728.tif 000007